(57)【要約】  ランプを交換するときに開閉されるカバーに、該カバーが開いたか否かを検出するカバー検出部を設け、電源停止状態においてカバーが開くと、補助電源を備えた情報保持部によりカバーが開いたことを示すカバー開閉情報を保存する。制御部は、ランプが点灯するとランプ使用時間を測定・保存すると共に、所定の時間毎にランプ電圧を取得して更新保存する。また、制御部は、電源停止状態から電源再開の後、情報保持部に保存されたカバー開閉情報が、カバーが開いたことを示す場合、電源再開後に検出されたランプ電圧を取得し、該取得したランプ電圧が電源停止前に保存していたランプ電圧よりも低い場合はランプが交換されたと判定する。
2014170951.tif 000002
【特許請求の範囲】
【請求項１】
ランプを備えたプロジェクターであって、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
前記プロジェクターが電源停止状態において、前記カバーが開くと、前記カバーが開いたことを示すカバー開閉情報を保存する、補助電源を備えた情報保持部と、
前記ランプが点灯すると前記ランプの点灯時間を計測し、該点灯時間の積算値であるランプ使用時間を保存すると共に、前記ランプ電圧検出部から所定の時間毎に前記ランプ電圧を取得して更新保存し、前記プロジェクターの電源停止状態から電源再開の後、前記情報保持部に保存された前記カバー開閉情報が前記カバーが開いたことを示すか否かを判定し、前記カバーが開いたことを示す場合は、前記ランプ電圧検出部から電源再開後に検出されたランプ電圧を取得し、該取得したランプ電圧が前記プロジェクターの電源停止前に保存していたランプ電圧よりも低い場合は前記ランプが交換されたと判定する制御部と、
を有するプロジェクター。
【請求項２】
請求項１に記載のプロジェクターにおいて、
前記カバー開閉情報は、前記カバーの開閉があったことを示す情報であり、
前記制御部は、前記情報保持部で前記カバー開閉情報が保存されているか否かを判定し、前記カバー開閉情報が保存されている場合は、前記ランプ電圧検出部から電源再開後に検出されたランプ電圧を取得し、該取得したランプ電圧が前記プロジェクターの電源停止前に保存していたランプ電圧よりも低い場合は前記ランプが交換されたと判定するプロジェクター。
【請求項３】
請求項１または２に記載のプロジェクターにおいて、
前記制御部は、
前記プロジェクターの電源停止中に前記ランプが交換されたと判定した場合、前記ランプ使用時間の値をリセットするプロジェクター。
【請求項４】
請求項１から３のいずれか１項に記載のプロジェクターにおいて、
前記情報保持部は、
ＤＣＩ（Digital Cinema Initiatives）規格に対応するセキュアプロセッシングブロックであるプロジェクター。
【請求項５】
プロジェクターが、
ランプと、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
補助電源を備えた情報保持部と、
前記プロジェクターの動作を制御する制御部と、
を備え、
前記情報保持部が、
前記プロジェクターが電源停止状態において、前記カバー検出部により前記カバーが開いたことが検出されると、前記カバーが開いたことを示すカバー開閉情報を保存し、
前記制御部が、
前記ランプが点灯すると前記ランプの点灯時間を計測し、該点灯時間の積算値であるランプ使用時間を保存すると共に、前記ランプ電圧検出部から所定の時間毎に前記ランプ電圧を取得して更新保存し、
前記プロジェクターの電源停止状態から電源再開の後、前記情報保持部に保存された前記カバー開閉情報が前記カバーが開いたことを示すか否かを判定し、
前記カバーが開いたことを示す場合は、前記ランプ電圧検出部から電源再開後に検出されたランプ電圧を取得し、
該取得したランプ電圧が前記プロジェクターの電源停止前に保存していたランプ電圧よりも低い場合は前記ランプが交換されたと判定するプロジェクターのランプ交換検出方法。
【請求項６】
請求項５に記載のプロジェクターのランプ交換検出方法において、
前記カバー開閉情報は、前記カバーの開閉があったことを示す情報であり、
前記制御部が、
前記情報保持部で前記カバー開閉情報が保存されているか否かを判定し、
前記カバー開閉情報が保存されている場合は、前記ランプ電圧検出部から電源再開後に検出されたランプ電圧を取得し、
該取得したランプ電圧が前記プロジェクターの電源停止前に保存していたランプ電圧よりも低い場合は前記ランプが交換されたと判定するプロジェクターのランプ交換検出方法。
【請求項７】
請求項５または６に記載のプロジェクターのランプ交換検出方法において、
前記制御部が、
前記プロジェクターの電源停止中に前記ランプが交換されたと判定した場合、前記ランプ使用時間の値をリセットするプロジェクターのランプ交換検出方法。
【請求項８】
請求項５から７のいずれか１項に記載のプロジェクターのランプ交換検出方法において、
前記情報保持部に、ＤＣＩ（Digital Cinema Initiatives）規格に対応するセキュアプロセッシングブロックを用いるプロジェクターのランプ交換検出方法。
【発明の詳細な説明】
【技術分野】
【０００１】
本発明はランプを備えたプロジェクター及びそのランプ交換検出方法に関する。
【背景技術】
【０００２】
スクリーンに映像を投射するプロジェクターには、高輝度ランプを映像投射用の光源として用いるものがある。このような光源に用いるランプは有限な寿命であるため、ランプを備えるプロジェクターでは、該ランプの点灯時間（動作時間）の積算値を管理して適切な時期にランプを交換する必要がある。【０００３】
通常、ランプはその点灯時間を計測するためのタイマや計測結果を保存するための不揮発性メモリ等を備えていないため、ランプの点灯時間はＣＰＵ（Central Processing Unit）等を備えたプロジェクター本体で計測され、その積算値が不揮発性メモリ等で保存される。保存されたランプの点灯時間の積算値（以下、「ランプ使用時間」と称す）は、スクリーンやプロジェクターが備える表示部等へ表示させることで、ユーザによるランプの交換時期の管理に利用される。あるいは、保存されたランプ使用時間は、ランプの交換時期であることをユーザに通知するための警告表示に利用される。【０００４】
ところで、上記ランプを備えたプロジェクターでは、コストの増大を抑制するために、ランプが交換されたことを検出するための回路や機構を搭載していない場合がある。そのようなプロジェクターのユーザは、ランプを交換したときにプロジェクター本体で保存されたランプ使用時間をマニュアル操作等でリセット（ランプ使用時間＝０）しなければならない。【０００５】
しかしながら、リセット操作を忘れる、あるいは操作が煩雑であるためにリセット操作を怠るなど、ランプを交換してもランプ使用時間のリセット操作が行われないケースがしばしばある。その結果、プロジェクター本体で保存されたランプ使用時間が不正な値となり、ランプの交換時期を管理できなくなったり、ランプ交換の警告が不必要に表示されたりするなど、プロジェクターの信頼性が損なわれてしまう。【０００６】
なお、ランプが交換されたことを検出してランプ使用時間を自動でリセットする技術は、例えば特許文献１（特開２００８−０４６４９９号公報）で提案されている。【０００７】
特許文献１では、ランプ外球に該ランプに関する情報（ランプ情報）を示すコード部を貼付しておき、プロジェクターに対する電源供給が停止している状態から電源供給が再開されたときにコード部の情報を読み取り、電源供給が停止する前に保存しておいたランプ情報と読み取ったランプ情報とが異なる場合にランプが交換されたと判定して、保存しているランプ使用時間の値をリセットすることが記載されている。【０００８】
また、特許文献１には、他の実施例として、ランプの交換操作に伴って回転する可動部材を設け、プロジェクターに対する電源供給が停止している状態から電源供給が再開されたときに該可動部材の回転位置を検出し、電源供給が停止する前に保存しておいた可動部材の回転位置と電源動作の再開後に検出した可動部材の回転位置とが異なる場合にランプが交換されたと判定することが記載されている。【０００９】
しかしながら、上記特許文献１に記載された技術では、ランプに貼付するコード部と該コード部の情報を読み取るための読み取り部、あるいは可動部材と該可動部材の回転位置を検出するためのセンサやスイッチ等をプロジェクターに追加する必要がある。そのため、ランプの交換有無を判別するために多くの部品を追加したり、複雑な機構を設けたりする必要があり、プロジェクターのコストが上昇してしまう。
【先行技術文献】
【特許文献】
【００１０】
【特許文献１】特開２００８−０４６４９９号公報
【発明の概要】
【００１１】
本発明は、上述した課題を解決するプロジェクター及びそのランプ交換検出方法を提供することを目的とする。
【００１２】
上記目的を達成するため本発明のプロジェクターは、ランプを備えたプロジェクターであって、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
前記プロジェクターが電源停止状態において、前記カバーが開くと、前記カバーが開いたことを示すカバー開閉情報を保存する、補助電源を備えた情報保持部と、
前記ランプが点灯すると前記ランプの点灯時間を計測し、該点灯時間の積算値であるランプ使用時間を保存すると共に、前記ランプ電圧検出部から所定の時間毎に前記ランプ電圧を取得して更新保存し、前記プロジェクターの電源停止状態から電源再開の後、前記情報保持部に保存された前記カバー開閉情報が前記カバーが開いたことを示すか否かを判定し、前記カバーが開いたことを示す場合は、前記ランプ電圧検出部から電源再開後に検出されたランプ電圧を取得し、該取得したランプ電圧が前記プロジェクターの電源停止前に保存していたランプ電圧よりも低い場合は前記ランプが交換されたと判定する制御部と、
を有する。
【００１３】
一方、本発明のプロジェクターのランプ交換検出方法は、プロジェクターが、
ランプと、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
補助電源を備えた情報保持部と、
前記プロジェクターの動作を制御する制御部と、
を備え、
前記情報保持部が、
前記プロジェクターが電源停止状態において、前記カバー検出部により前記カバーが開いたことが検出されると、前記カバーが開いたことを示すカバー開閉情報を保存し、
前記制御部が、
前記ランプが点灯すると前記ランプの点灯時間を計測し、該点灯時間の積算値であるランプ使用時間を保存すると共に、前記ランプ電圧検出部から所定の時間毎に前記ランプ電圧を取得して更新保存し、
前記プロジェクターの電源停止状態から電源再開の後、前記情報保持部に保存された前記カバー開閉情報が前記カバーが開いたことを示すか否かを判定し、
前記カバーが開いたことを示す場合は、前記ランプ電圧検出部から電源再開後に検出されたランプ電圧を取得し、
該取得したランプ電圧が前記プロジェクターの電源停止前に保存していたランプ電圧よりも低い場合は前記ランプが交換されたと判定する方法である。
【発明の効果】
【００１４】
本発明によれば、コストの上昇を最小限に抑制しつつ、ランプが交換されたことを検出することができる。
【図面の簡単な説明】
【００１５】
【図１】図１は、本発明のプロジェクターの一構成例を示すブロック図である。
【図２】図２は、ＳＰＢを備えたＤＣＩプロジェクターの一構成例を示すブロック図である。
【図３】図３は、本発明のランプ交換検出方法の処理手順の一例を示すフローチャートである。
【発明を実施するための形態】
【００１６】
次に本発明について図面を参照して説明する。
【００１７】
図１は、本発明のプロジェクターの一構成例を示すブロック図である。
【００１８】
図１に示すように、本発明のプロジェクター１は、ランプ２、カバー３、ランプ制御装置４、情報保持部５及び制御部６を有する。
【００１９】
ランプ２は、プロジェクター１の本体内に設置されている。ランプ２は、所定のランプ使用時間になると交換が必要な消耗部品であり、本体内のランプ２をユーザが容易に交換できるように本体壁面等にカバー３が設けられている。カバー３は、例えばドアや蓋などである。ランプ２はカバー３を開くことで交換が可能である。プロジェクター１に所要の電源電圧が供給されていない（以下、この状態を「電源停止」と称す）とき、ランプ２が交換される。カバー３には、カバー３の開閉動作を検出するカバー検出部７が設けられている。カバー検出部７には、例えばスイッチ（ＳＷ）が用いられる。
【００２０】
ランプ制御装置４は、ランプ２が点灯すると、例えばランプ２が所要の明るさ（輝度）で維持されるように、ランプ２へ供給する電力（以下、「ランプ電力」と称す）を制御する。
【００２１】
ランプ２の明るさ（輝度）はランプに供給される電力と相関があるため、ランプ制御装置４は、例えばランプ２に印加する電圧（以下、「ランプ電圧」と称す）を測定するランプ電圧検出部１１を備え、ランプ電圧検出部１１によりランプ電圧を測定し、ランプ電力を所要の値で維持するように、すなわちランプ２が所要の輝度で維持されるようにランプ２に流れる電流（以下、「ランプ電流」と称す）を調整する。
【００２２】
情報保持部５は、バッテリーやコンデンサなどで構成される補助電源を備えることで図１に示すプロジェクター１の電源停止の状態でも動作が可能である。また、情報保持部５は、プロジェクター１の電源停止の状態において、カバー検出部７を用いて検出された、カバー３が開いたか否かを示す情報を保存する。例えば、情報保持部５は、カバー検出部７であるスイッチに補助電源を用いて電源を供給し、カバー３が開いたことを示すスイッチの接点間の開放または接続を検出すると、カバー３の開閉があったことを示すカバー開閉情報を保存する。なお、情報保持部５は、プロジェクター１が電源停止のときにランプ２が交換された可能性があることを検出できればよく、カバー検出部７を用いてプロジェクター１が電源停止のときにカバー３が開いたか否かを検出すればよい。また、情報保持部５は、補助電源の動作時間を長くするために、スイッチの接点間の開放または接続の検出に必要な電力を抑制できる構成とすることが望ましい。例えば、通常、カバー３は閉じられているので、カバー３が閉のときに、スイッチの接点が開放されて電流が流れず、カバー３が開のときに、スイッチの接点が接続されて電流が流れるように構成すればよい。
【００２３】
制御部６は、図１に示すランプ２が点灯すると、その点灯時間を計測し、点灯時間を積算したランプ使用時間を保存する。また、制御部６は、プロジェクター１に所要の電源電圧が供給されてランプ２が点灯しているとき、ランプ制御回路４から所定の時間毎にランプ電圧を取得して更新・保存する。さらに、制御部６は、電源停止状態から所要の電源電圧の供給が再開され（以下、「電源再開」と称す）、ランプ２が点灯されると、カバー３が開いたか否かを判定し、判定した結果に基づいて処理を行う。例えば、制御部６は、情報保持部５に上記カバー開閉情報が保存されているか否かを判定し、カバー開閉情報が保存されている場合は、カバー３が開いたと判定し、ランプ制御回路４から電源再開後に検出されたランプ電圧を取得し、該電源再開後に検出されたランプ電圧がプロジェクター１の電源停止前に保存していたランプ電圧よりも低いときは、ランプ２が新しいものに交換されたと判定して保存しているランプ使用時間の値をリセットする。
【００２４】
通常、ランプ２は、点灯時間が経過すると共に電極が劣化して電極間の距離が長くなるため、ランプ電圧が高くなる。したがって、ランプ電圧は、新しいランプ２では低く、点灯時間が経過した（ランプ使用時間の値が大きい）ランプ２では高くなる傾向にある。
【００２５】
そこで、情報保持部５でカバー開閉情報が保存されている場合は電源停止の間にランプ２が交換された可能性があるため、制御部６は現在のランプ電圧と電源停止前に保存していたランプ電圧とを比較してランプ２が交換されたか否かを判定する。具体的には、電源再開後に取得したランプ電圧が電源停止前に保存していたランプ電圧よりも低い場合はランプ２が新しいものに交換されたと判定する。制御部６は、ランプ２が交換されたと判定したとき、保存しているランプ使用時間の値をリセットする。
【００２６】
以上説明したように、本発明によれば、プロジェクター１の電源停止中にカバー３が開いたか否かを判定し、カバー３が開いたと判定すると、電源再開後に取得したランプ電圧と電源停止前に保存していたランプ電圧とを比較してランプ２が交換されたか否かを判定するので、ランプ２の交換有無を容易に判別できる。そのため、上記特許文献１に記載された技術のように、ランプ２の交換有無を判別するために多くの部品を追加したり、複雑な機構を設けたりする必要がない。したがって、コストの上昇を最小限に抑制しつつ、ランプ２が交換されたことを検出することができる。また、該検出した結果に基づいて保存しているランプ使用時間をリセットできる。
【００２７】
なお、プロジェクター１が後述するＤＣＩ規格に対応する場合、図１に示した情報保持部５は後述するセキュアプロセッシングブロック（Secure Processor Block：以下、「ＳＰＢ」と称す）を用いて実現できる。その場合、情報保持部５も新たに追加する必要がないため、プロジェクター１のコストの上昇をさらに抑制できる。以下、上記ＳＰＢを備えたプロジェクターについて説明する。
【００２８】
近年、米国の大手映画会社が組織する業界団体であるＤＣＩ（Digital Cinema Initiatives）が策定した上映規格（以下、「ＤＣＩ規格」と称す）に対応するプロジェクターが登場し、映画館等における、いわゆるデジタルシネマの上映にもプロジェクターが利用されるようになってきている。
【００２９】
このＤＣＩ規格では、映像や音声等のコンテンツを保護するために該コンテンツが暗号化されて映画館等の各劇場に供給され、各劇場では暗号化された映像信号や音声信号を復号してプロジェクターや音響機器を利用して再生する。さらに、ＤＣＩ規格では、復号後のコンテンツの盗難や盗聴を防止するためのセキュリティ機能をプロジェクターや音響機器に備えることを要求している。
【００３０】
そのため、ＤＣＩ規格に対応するプロジェクター（以下、ＤＣＩプロジェクターと称す）は、暗号化された映像信号を復号するための機能、並びに復号後の映像信号の盗難を防止するためのセキュリティ機能を実現する上記ＳＰＢを備えている。
【００３１】
ＳＰＢは、セキュリティ機能を実現するために、自装置を含むＤＣＩプロジェクター内の所定の装置を「ＳＰＢ境界」として定義し、外部から該ＳＰＢ境界内に対する攻撃や侵入等のアクセスがあると、該アクセスがあったことを示す情報（ＳＰＢ情報）を保存すると共にコンテンツの復号処理を停止する。ＳＰＢは、バッテリー（補助電源）を備えており、ＤＣＩプロジェクターの電源停止時も該バッテリーで動作することで上記セキュリティ機能を維持している。
【００３２】
図２は、ＳＰＢを備えたＤＣＩプロジェクターの一構成例を示すブロック図である。
【００３３】
図２に示すＤＣＩプロジェクター１０１は、ランプ１０２、ランプドア１０３、ランプ制御装置１０４、ＳＰＢ１０５、制御部１０６、電源スイッチ１０８、光変調装置１０９および投射光学系１２０を備え、ＳＰＢ１０５で復号された映像信号で示される映像をスクリーン２００に投射する構成である。
【００３４】
ＳＰＢ１０５には、ＤＣＩプロジェクター１０１の本体に設けられた入力端子１２２を介して外部から暗号化された映像信号が入力され、ＳＰＢ１０５で復号された映像信号は光変調装置１０９へ出力される。ＳＰＢ１０５は、映像信号を復号するプロセッサやフレームメモリを含む映像信号処理回路、制御プログラムにしたがって処理を実行するＣＰＵ、該ＣＰＵの処理で必要な情報を一時的に保持する主記憶装置（ＲＡＭ（Random Access Memory）等の揮発性メモリ）、ＣＰＵに所定の処理を実行させるための制御プログラムや各種のデータが保存される副記憶装置（不揮発性メモリ）等を含む情報処理装置で実現される。
【００３５】
ランプ１０２は、スクリーン２００に映像を投影するための光源であり、超高圧水銀ランプ等の高輝度ランプが用いられる。図２に示すＤＣＩプロジェクター１０１では、ランプ１０２が図１に示したランプ２に相当する。
【００３６】
ランプドア１０３は、ランプ１０２の交換時に開閉される扉であり、例えばＤＣＩプロジェクター１０１本体の背面や上面等に設けられる。ランプドア１０３には、ランプドア１０３の開閉動作と連動して接点間が開放または接続されるスイッチ（ＳＷ）１０７が設けられている。図２に示すＤＣＩプロジェクター１０１では、ランプドア１０３が図１に示したカバー３に相当し、スイッチ１０７が図１に示したカバー検出部７に相当する。
【００３７】
ランプ制御装置１０４は、図２に示すＤＣＩプロジェクター１０１の動作時、ランプ１０２に電力を供給して点灯させるとともに、ランプ１０２が所要の明るさ（輝度）で維持されるように、例えばランプ電流を制御する。図２に示すＤＣＩプロジェクター１０１では、ランプ制御装置１０４が図１に示したランプ制御装置４に相当し、ランプ電圧検出部１１１が図１に示したランプ電圧検出部１１に相当する。ランプ１０２の輝度は、例えばＤＣＩプロジェクター１０１のユーザによる設定入力にしたがって制御部１０６からランプ制御装置１０４に指示される。
【００３８】
上述したように、ランプ制御装置１０４は、例えばランプ電圧検出部１１１によりランプ電圧を測定し、ランプ電力を所要の値で維持するように、すなわちランプ１０２が所要の輝度で維持されるようにランプ電流を調整する。なお、ランプ１０２の輝度は周知の光センサ等を用いて検出してもよい。その場合、ランプ制御装置１０４は、光センサで検出されたランプ１０２の輝度に基づき、所要の輝度が得られるようにランプ電流を調整すればよい。ランプ制御装置１０４は、例えばランプ１０２に所要の電力を供給する駆動回路、ランプ電圧を検出する検出回路（ランプ電圧検出部１１１）、ランプ電流を制御する制御回路、制御部１０６と情報（ランプ輝度の設定値、ランプ電圧等）を送受信するための通信回路等を含み構成される。なお、この構成は、周知のどのような回路を用いてもよい。
【００３９】
制御部１０６は、図２に示すＤＣＩプロジェクター全体の動作を制御する装置である。図２に示すＤＣＩプロジェクター１０１では、制御部１０６が図１に示した制御部６に相当する。制御部１０６は、所定の制御プログラムにしたがって処理を実行するＣＰＵ、該ＣＰＵの処理で必要な情報を一時的に保持する主記憶装置（ＲＡＭ等の揮発性メモリ）、ＣＰＵに所定の処理を実行させるための制御プログラムや各種のデータ（ランプ使用時間、ランプ電圧等）が保存される副記憶装置（不揮発性メモリ）等を含む情報処理装置で実現できる。本発明のランプ交換検出方法は、例えば制御部１０６のＣＰＵが制御プログラムにしたがって処理を実行することで実現される。
【００４０】
電源スイッチ１０８は、ＤＣＩプロジェクター１０１に所要の電力を供給する電源装置（不図示）の動作を該ＤＣＩプロジェクター１０１のユーザがオンまたはオフさせるためのスイッチである。但し、一般的なプロジェクターは、電源スイッチがオフされてランプが消灯しても所要の時間が経過した後に電源装置の動作が停止する。これは、プロジェクターの動作停止時に上記ランプ使用時間の更新・保存処理等を必要とするからである。図２に示すＤＣＩプロジェクター１０１においても、電源スイッチ１０８がオフされると所要の時間が経過した後に不図示の電源装置が動作を停止するものとする。
【００４１】
光変調装置１０９は、ＤＭＤ（Digital Micromirror Device）、液晶パネル等の周知の光変調素子を備え、ＳＰＢ１０５で復号された映像信号で示される映像を再生する。
【００４２】
投射光学系１２０は、レンズ、プリズム、ミラー等を備え、ランプ１０２を光源に用いて光変調装置１０９で再生された映像をスクリーン２００へ拡大投射する。
【００４３】
このような構成において、図２に示すＤＣＩプロジェクター１０１では、ＳＰＢ１０５が定義する上記ＳＰＢ境界にランプドア１０３に設けられたスイッチ１０７も含める。ＳＰＢ１０５は、ＤＣＩプロジェクター１０１の電源停止時、スイッチ１０７の接点間が開放または接続されたことを検出すると、ランプドア１０３の開閉があったことを示すカバー開閉情報を上記ＳＰＢ情報として保存する。図２に示すＤＣＩプロジェクター１０１が備えるＳＰＢ１０５は、ランプドア１０３が開閉されたことを検出してもコンテンツ（映像信号）の復号処理を停止しなくてもよい。このようにＤＣＩプロジェクター１０１の電源停止時にＳＰＢ１０５でカバー開閉情報を保存することで、図２に示すＳＰＢ１０５により図１に示した情報保持部５を実現できる。
【００４４】
制御部１０６は、電源スイッチ１０８がオンされてランプ制御装置１０４によりランプ１０２を点灯させると、タイマを用いてランプ１０２の点灯時間の計測を開始し、電源スイッチ１０８がオフされてランプ制御装置１０４によりランプ１０２を消灯させると、タイマを用いた計測を停止してランプ１０２の点灯時間を求める。その後、求めたランプ１０２の点灯時間を不揮発性メモリで保存しているランプ使用時間に加算し、加算後の値を新たなランプ使用時間として更新・保存する。なお、ランプ使用時間の更新・保存は、ランプ１０２を消灯させるときだけではなく、予め規定されたランプ使用時間の更新時間に基づいて更新・保存してもよい。また、制御部１０６は、ＤＣＩプロジェクター１０１の動作中（ランプ１０２の点灯中）は、ランプ制御装置１０４から所定の時間毎にランプ電圧の値を取得して更新・保存する。
【００４５】
図３は、本発明のランプ交換検出方法の処理手順の一例を示すフローチャートである。
【００４６】
図３では、図２に示したＤＣＩプロジェクター１０１を例にして本発明のランプ交換検出方法の処理手順を示すが、本発明のランプ交換検出方法は、ランプを備えた、どのような構成のプロジェクターにも適用可能である。
【００４７】
図３に示すように、制御部１０６は、ＤＣＩプロジェクター１０１の電源スイッチ１０８がオンされ、ランプ１０２を点灯させてＤＣＩプロジェクター１０１の動作を開始させると、ランプ１０２の点灯時間の計測を開始する（ステップＳ１）。
【００４８】
続いて、制御部１０６は、ＳＰＢ１０５から該ＳＰＢ１０５で保存されたＳＰＢ情報を取得し、該ＳＰＢ情報に上記カバー開閉情報が含まれているか否か、すなわち情報保持部５でカバー開閉情報が保存されているか否かを確認する（ステップＳ２）。
【００４９】
ＳＰＢ１０５でカバー開閉情報が保存されていない場合、制御部１０６は、ステップＳ６の処理へ移行し、所定の周期毎にランプ制御装置１０４からランプ電圧の値を取得して更新・保存する。
【００５０】
ＳＰＢ１０５でカバー開閉情報が保存されている場合、ＤＣＩプロジェクター１０１の電源停止中にランプ１０２が交換された可能性がある。そこで、制御部１０６は、ランプ制御装置１０４から現在のランプ電圧の値（以下、「第１ランプ電圧値」と称す）を取得する（ステップＳ３）。
【００５１】
上述したように、ランプ電圧の値はランプ１０２の点灯時間が経過する共に高くなる傾向にある。そのため、上記第１のランプ電圧値と、ＤＣＩプロジェクター１０１の電源停止前に保存していたランプ電圧の値（以下、「第２ランプ電圧値」と称す）とを比較し、第１のランプ電圧値が第２ランプ電圧値よりも低い場合、ＤＣＩプロジェクター１０１の電源停止中にランプ１０２が新しいものに交換されたと判別できる。
【００５２】
制御部１０６は、第１のランプ電圧値が第２ランプ電圧値よりも低いか否かを判定し（ステップＳ４）、第１のランプ電圧値が第２ランプ電圧値よりも低い場合はランプ１０２が新しいものに交換されたと判定して、保存しているランプ使用時間の値をリセットして更新・保存する（ステップＳ５）。このとき、制御部１０６は、測定誤差やランプ温度による差異等を考慮して、例えば第１のランプ電圧値と第２ランプ電圧値とが所定の電圧差以上である場合にランプ１０２が交換されたと判定してもよい。
【００５３】
一方、第１のランプ電圧値が第２ランプ電圧値以上である場合、制御部１０６は、ランプ１０２が交換されていないと判定する。続いて、制御部１０６は、ステップＳ６の処理へ移行し、所定の時間毎にランプ制御装置１０４からランプ電圧の値を取得して更新・保存する。
【００５４】
その後、ＤＣＩプロジェクター１０１の電源スイッチ１０８がオフされると、制御部１０６は、ランプ１０２を消灯させると共に、ステップＳ１で開始したタイマを用いた計測を終了してランプ１０２の点灯時間を求め、求めたランプ１０２の点灯時間を不揮発性メモリで保存しているランプ使用時間に加算し、加算後の値を新たなランプ使用時間として更新・保存する（ステップＳ８）。
【００５５】
上述したように、ＤＣＩプロジェクター１０１は、ＳＰＢ１０５が定義する上記ＳＰＢ境界にランプドア１０３に設けたスイッチ１０７を含め、ＤＣＩプロジェクター１０１の電源停止中にランプドア１０３が開いた場合は、その旨を示すカバー開閉情報をＳＰＢ情報としてＳＰＢ１０５で保存する。また、ランプドア１０３が開いた場合、制御部１０６が電源再開後のランプ電圧の値（第１のランプ電圧値）とＤＣＩプロジェクター１０１の電源停止前に保存していたランプ電圧（第２のランプ電圧値）とを比較することでランプ１０２が新しいものに交換されたか否かを判定する。
【００５６】
以上説明したように、図２に示すＤＣＩプロジェクター１０１でも、電源停止中にカバー１０３が開いたか否かを判定し、カバー１０３が開いたと判定すると、電源再開後に取得したランプ電圧と電源停止前に保存していたランプ電圧とを比較してランプ１０２が交換されたか否かを判定するので、ランプ１０２の交換の有無を容易に判別できる。
【００５７】
また、図２に示すＤＣＩプロジェクター１０１に本発明を適用すれば、ＳＰＢ１０５を用いて情報保持部５を実現できるので、プロジェクターのコストの上昇をさらに抑制しつつ、ランプが交換されたことを検出することができる。また、該検出した結果に基づいて保存しているランプ使用時間をリセットできる。
【００５８】
なお、上述した説明では、カバー３が開けられると、カバー３が開いたことを示すカバー開閉情報を情報保持部５で保存する例を示したが、カバー開閉情報はカバー３の開閉に関する情報としてもよい。例えば、カバー開閉情報をカバー３が開けられたか否かを示す情報とした場合、制御部１０６は保存されているカバー開閉情報が、カバー３が開けられたことを示す場合、カバー３が開けられたと判定すればよい。この場合、制御部１０６は、ランプ使用時間の値をリセットすると、情報保持部５にその旨を通知する。情報保持部５は、該通知を受け取ると、カバー開閉情報をカバー３が開けられていないことを示す情報に更新して保存する。
【００５９】
また、上述した説明では、ランプ２が点灯された後にカバー３が開けられたか否かを判定する例を示したが、カバー３が開けられたか否かは、プロジェクター１に所要の電源電圧の供給が再開された後、ランプ２を点灯される前に判定してもよい。
【００６０】
また、上述した説明では、ランプ制御回路４がランプ電圧を測定するランプ電圧検出部１１を備え、制御部６はランプ制御回路４からランプ電圧を取得する例を示したが、ランプ電圧検出部１１はランプ制御回路４の外部にあってもよい。その場合、制御部６は該ランプ電圧検出部１１からランプ電圧を取得すればよい。
【００６１】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
2014170951.tif 000003
【図２】
2014170951.tif 000004
【図３】
2014170951.tif 000005
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
ランプを備えたプロジェクターであって、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
前記プロジェクターが電源停止状態において、前記カバーが開くと、前記カバーが開いたことを示すカバー開閉情報を保存する情報保持部と、
前記ランプ電圧検出部から前記ランプ電圧を取得して更新保存し、前記プロジェクターの電源停止状態から電源再開の後、前記カバー開閉情報が前記カバーが開いたことを示し、前記ランプ電圧検出部により電源再開後に検出されたランプ電圧が前記プロジェクターの電源停止前に保存していたランプ電圧よりも低い場合は前記ランプが交換されたと判定する制御部と、
を有するプロジェクター。
【請求項２】
請求項１に記載のプロジェクターにおいて、
前記情報保持部は、補助電源を備えるプロジェクター。
【請求項３】
請求項１または２に記載のプロジェクターにおいて、
前記制御部は、前記ランプ電圧検出部により電源再開後に検出されたランプ電圧が前記プロジェクターの電源停止前に保存していたランプ電圧よりも低く、所定の電圧差以上である場合は前記ランプが交換されたと判定するプロジェクター。
【請求項４】
請求項１から３のいずれか１項に記載のプロジェクターにおいて、
前記制御部は、
前記ランプが交換されたと判定した場合、前記ランプの点灯時間の積算値であるランプ使用時間の値をリセットするプロジェクター。
【請求項５】
請求項１から４のいずれか１項に記載のプロジェクターにおいて、
前記情報保持部は、
ＤＣＩ（Digital Cinema Initiatives）規格に対応するセキュアプロセッシングブロックであるプロジェクター。
【請求項６】
プロジェクターが、
ランプと、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
情報保持部と、
前記プロジェクターの動作を制御する制御部と、
を備え、
前記情報保持部が、
前記プロジェクターが電源停止状態において、前記カバー検出部により前記カバーが開いたことが検出されると、前記カバーが開いたことを示すカバー開閉情報を保存し、
前記制御部が、
前記ランプ電圧検出部から前記ランプ電圧を取得して更新保存し、
前記プロジェクターの電源停止状態から電源再開の後、前記カバー開閉情報が前記カバーが開いたことを示し、前記ランプ電圧検出部により電源再開後に検出されたランプ電圧が前記プロジェクターの電源停止前に保存していたランプ電圧よりも低い場合は前記ランプが交換されたと判定するプロジェクターのランプ交換検出方法。
【請求項７】
請求項６に記載のプロジェクターのランプ交換検出方法において、
前記情報保持部が、補助電源を備えるプロジェクターのランプ交換検出方法。
【請求項８】
請求項６または７に記載のプロジェクターのランプ交換検出方法において、
前記制御部が、
前記ランプ電圧検出部により電源再開後に検出されたランプ電圧が前記プロジェクターの電源停止前に保存していたランプ電圧よりも低く、所定の電圧差以上である場合に前記ランプが交換されたと判定するプロジェクターのランプ交換検出方法。
【請求項９】
請求項６から８のいずれか１項に記載のプロジェクターのランプ交換検出方法において、
前記制御部が、
前記ランプが交換されたと判定した場合、前記ランプの点灯時間の積算値であるランプ使用時間の値をリセットするプロジェクターのランプ交換検出方法。
【請求項１０】
請求項６から９のいずれか１項に記載のプロジェクターのランプ交換検出方法において、
前記情報保持部に、ＤＣＩ（Digital Cinema Initiatives）規格に対応するセキュアプロセッシングブロックを用いるプロジェクターのランプ交換検出方法。
【手続補正２】
【補正対象書類名】明細書
【補正対象項目名】００１２
【補正方法】変更
【補正の内容】
【００１２】
上記目的を達成するため本発明のプロジェクターは、ランプを備えたプロジェクターであって、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
前記プロジェクターが電源停止状態において、前記カバーが開くと、前記カバーが開いたことを示すカバー開閉情報を保存する情報保持部と、
前記ランプ電圧検出部から前記ランプ電圧を取得して更新保存し、前記プロジェクターの電源停止状態から電源再開の後、前記カバー開閉情報が前記カバーが開いたことを示し、前記ランプ電圧検出部から電源再開後に検出されたランプ電圧が前記プロジェクターの電源停止前に保存していたランプ電圧よりも低い場合は前記ランプが交換されたと判定する制御部と、
を有する。
【手続補正３】
【補正対象書類名】明細書
【補正対象項目名】００１３
【補正方法】変更
【補正の内容】
【００１３】
一方、本発明のプロジェクターのランプ交換検出方法は、プロジェクターが、
ランプと、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
情報保持部と、
前記プロジェクターの動作を制御する制御部と、
を備え、
前記情報保持部が、
前記プロジェクターが電源停止状態において、前記カバー検出部により前記カバーが開いたことが検出されると、前記カバーが開いたことを示すカバー開閉情報を保存し、
前記制御部が、
前記ランプ電圧検出部から前記ランプ電圧を取得して更新保存し、
前記プロジェクターの電源停止状態から電源再開の後、前記カバー開閉情報が前記カバーが開いたことを示し、前記ランプ電圧検出部により電源再開後に検出されたランプ電圧が前記プロジェクターの電源停止前に保存していたランプ電圧よりも低い場合は前記ランプが交換されたと判定する方法である。
【手続補正書】
【提出日】平成28年9月15日(2016.9.15)
【手続補正１】
【補正対象書類名】特許請求の範囲
【補正対象項目名】請求項１
【補正方法】変更
【補正の内容】
【請求項１】
ランプを備えたプロジェクターであって、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
前記プロジェクターが電源停止状態において、前記カバーが開くと、前記カバーが開いたことを示すカバー開閉情報を保存する情報保持部と、
前記ランプ電圧を保存する記憶部を含み、前記ランプ電圧検出部から前記ランプ電圧を取得して前記記憶部に保存された前記ランプ電圧を更新・保存し、前記プロジェクターの電源停止状態から電源再開の後、前記カバー開閉情報が前記カバーが開いたことを示し、前記ランプ電圧検出部により電源再開後に検出されたランプ電圧が前記プロジェクターの電源停止前に保存していたランプ電圧よりも低い場合は前記ランプが交換されたと判定する制御部と、
を有するプロジェクター。
【手続補正２】
【補正対象書類名】特許請求の範囲
【補正対象項目名】請求項６
【補正方法】変更
【補正の内容】
【請求項６】
プロジェクターが、
ランプと、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
情報保持部と、
前記プロジェクターの動作を制御する制御部と、
を備え、
前記情報保持部が、
前記プロジェクターが電源停止状態において、前記カバー検出部により前記カバーが開いたことが検出されると、前記カバーが開いたことを示すカバー開閉情報を保存し、
前記制御部が、
前記ランプ電圧を保存する記憶部を含み、前記ランプ電圧検出部から前記ランプ電圧を取得して前記記憶部に保存された前記ランプ電圧を更新・保存し、
前記プロジェクターの電源停止状態から電源再開の後、前記カバー開閉情報が前記カバーが開いたことを示し、前記ランプ電圧検出部により電源再開後に検出されたランプ電圧が前記プロジェクターの電源停止前に保存していたランプ電圧よりも低い場合は前記ランプが交換されたと判定するプロジェクターのランプ交換検出方法。
【手続補正３】
【補正対象書類名】明細書
【補正対象項目名】００１２
【補正方法】変更
【補正の内容】
【００１２】
上記目的を達成するため本発明のプロジェクターは、ランプを備えたプロジェクターであって、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
前記プロジェクターが電源停止状態において、前記カバーが開くと、前記カバーが開いたことを示すカバー開閉情報を保存する情報保持部と、
前記ランプ電圧を保存する記憶部を含み、前記ランプ電圧検出部から前記ランプ電圧を取得して前記記憶部に保存された前記ランプ電圧を更新・保存し、前記プロジェクターの電源停止状態から電源再開の後、前記カバー開閉情報が前記カバーが開いたことを示し、前記ランプ電圧検出部により電源再開後に検出されたランプ電圧が前記プロジェクターの電源停止前に保存していたランプ電圧よりも低い場合は前記ランプが交換されたと判定する制御部と、
を有する。
【手続補正４】
【補正対象書類名】明細書
【補正対象項目名】００１３
【補正方法】変更
【補正の内容】
【００１３】
一方、本発明のプロジェクターのランプ交換検出方法は、プロジェクターが、
ランプと、
前記ランプを交換するときに開閉されるカバーと、
前記カバーが開いたか否かを検出するカバー検出部と、
前記ランプが点灯しているときに前記ランプへ印加するランプ電圧を検出するランプ電圧検出部と、
情報保持部と、
前記プロジェクターの動作を制御する制御部と、
を備え、
前記情報保持部が、
前記プロジェクターが電源停止状態において、前記カバー検出部により前記カバーが開いたことが検出されると、前記カバーが開いたことを示すカバー開閉情報を保存し、
前記制御部が、
前記ランプ電圧を保存する記憶部を含み、前記ランプ電圧検出部から前記ランプ電圧を取得して前記記憶部に保存された前記ランプ電圧を更新・保存し、
前記プロジェクターの電源停止状態から電源再開の後、前記カバー開閉情報が前記カバーが開いたことを示し、前記ランプ電圧検出部により電源再開後に検出されたランプ電圧が前記プロジェクターの電源停止前に保存していたランプ電圧よりも低い場合は前記ランプが交換されたと判定する方法である。
【国際調査報告】
2014170951.tif 000006
2014170951.tif 000007
2014170951.tif 000008
2014170951.tif 000009